(57)【要約】【課題】優先度の高い端末間の送信タイミングが端末間で偶然一致した場合であっても、不要な衝突・再送を回避することができる無線端末及び無線端末の通信制御方法を提供すること。【解決手段】無線端末は、帯域の負荷状況情報を取得する負荷状況情報取得部２１と、無線端末がデータを再送するために要したデータ再送履歴情報を取得する再送履歴情報取得部２２と、負荷状況情報及びデータ再送履歴情報とを比較し、無線帯域チャネルにおいて衝突・再送が起きやすい状況であるか否かを判定する判定部２３と、判定部２３が無線帯域チャネルにおいて衝突・再送が起きやすい状況であると判定した場合に、コンテンション・ウィンドウの最小値（以下、ＣＷｍｉｎと称す）を増加させて更新するＣＷｍｉｎ更新部２４とを備える。【選択図】図２
2008252565.tif 000002
【特許請求の範囲】
【請求項１】
帯域の負荷状況情報を取得する負荷状況情報取得部と、
無線端末がデータを再送するために要したデータ再送履歴情報を取得する再送履歴情報取得部と、
前記負荷状況情報及び前記データ再送履歴情報とを比較し、無線帯域チャネルにおいて衝突・再送が起きやすい状況であるか否かを判定する判定部と、
前記判定部が前記無線帯域チャネルにおいて衝突・再送が起きやすい状況であると判定した場合に、コンテンション・ウィンドウの最小値（以下、ＣＷｍｉｎと称す）を増加させて更新するＣＷｍｉｎ更新部と
を備える無線端末。
【請求項２】
前記無線端末は、
データ再送履歴情報に含まれる少なくとも複数の履歴情報に基づいて、データ再送状況が変化する周期を検出する再送状況変化検出部を更に備え、
前記判定部は、前記負荷状況情報、及び前記データ再送状況が変化する周期における前記データ再送履歴情報とを比較し、無線帯域チャネルにおいて衝突・再送が起きやすい状況であるか否かを判定し、
前記ＣＷｍｉｎ更新部は、前記データ再送状況が変化する周期に応じて、ＣＷｍｉｎを増加させて更新する
ことを特徴とする請求項１記載の無線端末。
【請求項３】
ビーコンフレームに含まれるＴＩＭ（Ｔｒａｆｆｉｃ  Ｉｎｄｉｃａｔｉｏｎ  Ｍａｐ）情報を抽出するＴＩＭ情報抽出部と、
前記ＴＩＭ情報が、前記基地局が自端末宛データを保有しており、かつ、複数の他端末宛データを保有していることを示している場合に、無線帯域チャネルにおいて衝突・再送が起きやすい状況であるか否かを判定する判定部と、
前記判定部が、無線帯域チャネルにおいて衝突・再送が起きやすい状況であると判定した場合に、コンテンション・ウィンドウの最小値（以下、ＣＷｍｉｎと称す）を増加させて更新するＣＷｍｉｎ更新部とを備える無線端末。
【請求項４】
前記ＣＷｍｉｎ更新部は、ＣＷｍｉｎを一時的に増加させて更新する
ことを特徴とする請求項４記載の無線端末。
【請求項５】
帯域の負荷状況情報を取得するステップと、
無線端末がデータを再送するために要したデータ再送履歴情報を取得するステップと、
前記負荷状況情報及び前記データ再送履歴情報とを比較し、無線帯域チャネルにおいて衝突・再送が起きやすい状況であるか否かを判定するステップと、
前記無線帯域チャネルにおいて衝突・再送が起きやすい状況であると判定された場合に、コンテンション・ウィンドウの最小値（以下、ＣＷｍｉｎと称す）を増加させて更新するステップとを備える無線端末の通信制御方法。
【請求項６】
前記通信制御方法は、
データ再送履歴情報に含まれる少なくとも複数の履歴情報に基づいて、データ再送状況の変化を検出するステップを更に備え、
前記負荷状況情報、及び前記データ再送状況が変化する周期における前記データ再送履歴情報とを比較し、無線帯域チャネルにおいて衝突・再送が起きやすい状況であるか否かを判定し、
前記データ再送状況が変化する周期に応じて、ＣＷｍｉｎを増加させて更新する
ことを特徴とする請求項５記載の無線端末の通信制御方法。
【請求項７】
ビーコンフレームに含まれるＴＩＭ（Ｔｒａｆｆｉｃ  Ｉｎｄｉｃａｔｉｏｎ  Ｍａｐ）情報を抽出するステップと、
前記ＴＩＭ情報が、前記基地局が自端末宛データを保有しており、かつ、複数の他端末宛データを保有していることを示している場合に、無線帯域チャネルにおいて衝突・再送が起きやすい状況であるか否かを判定するステップと、
無線帯域チャネルにおいて衝突・再送が起きやすい状況であると判定した場合に、コンテンション・ウィンドウの最小値（以下、ＣＷｍｉｎと称す）を増加させて更新するステップとを備える無線端末の通信制御方法。
【請求項８】
前記ＣＷｍｉｎを一時的に増加させて更新する
ことを特徴とする請求項７記載の無線端末の通信制御方法。
【発明の詳細な説明】
【技術分野】
【０００１】
本発明は、無線アクセス方式にＩＥＥＥ８０２．１１ｅに規定される無線ＬＡＮ  ＱｏＳを採用する無線端末及び無線端末の通信制御方法に関する。
【背景技術】
【０００２】
近年、インターネットの普及により通信ケーブルを必要としない無線ＬＡＮ（Ｌｏｃａｌ  Ａｒｅａ  Ｎｅｔｗｏｒｋ）技術が普及している。無線ＬＡＮ技術はパーソナルコンピュータ等の情報端末に限られず携帯電話端末分野においても広く用いられ、同一の無線ＬＡＮ環境において、音声やデータなどを同時に送受信して扱うことが多くなってきている。
【０００３】
音声やビデオといった様々なカテゴリのパケットを効率的に送受信するためには、無線ＬＡＮ環境におけるＱｏＳ（Ｑｕａｌｉｔｙ  ｏｆ  Ｓｅｒｖｉｃｅ）機能が非常に重要となる。
無線ＬＡＮ環境におけるＱｏＳ保証の標準技術としてＩＥＥＥ８０２．１１ｅがある。無線ＬＡＮにおいては、同一基地局に対してアクセスする端末は共通の無線チャネルを共有するため、同一基地局に対してアクセスする端末数が増加する場合には、音声途切れやデータ遅延などの品質劣化を起こす可能性がある。
【０００４】
ＩＥＥＥ８０２．１１ｅで規定される無線ＬＡＮ  ＱｏＳにおいては、データを４つのカテゴリ、ＡＣ＿ＶＯ（音声）、ＡＣ＿ＶＩ（ビデオ）、ＡＣ＿ＢＫ（バックグランド）、及びＡＣ＿ＢＥ（ベストエフォート）として定義し、カテゴリごとに定めたＱｏＳ  Ｐａｒａｍｅｔｅｒを用いるＥＤＣＡ（Enhanced Distributed Coordination Access）方式に基づいてＱｏＳ機能を実現することができる。
【０００５】
伝送遅延を小さく抑えたい音声パケット及び画像パケットに対して、それぞれＡＣ＿ＶＯ及びＡＣ＿ＶＩというカテゴリが用意されている。これら２つのカテゴリＡＣ＿ＶＯ及びカテゴリＡＣ＿ＶＩは、他のカテゴリＡＣ＿ＢＫ及びカテゴリＡＣ＿ＢＥと比べて、バックオフ期間生成時の初期乱数として小さな値を設定する。具体的には、バックオフ期間は、０からコンテンション・ウィンドウのサイズ（以下、ＣＷと称す。）までの整数をランダムに選択し、一定値で決定されているスロットタイムを選択した整数倍した時間として算出される。各端末はバックオフ期間待機した後、送信を開始する。パケットが衝突し送信が失敗した場合、及びカテゴリ間の競合で送信されなかったカテゴリは、ＣＷ値を２倍にし、再度送信手順を行う。この際、ＣＷの初期値はＣＷの最小値（以下、ＣＷｍｉｎと称す。）で与えられ、ＣＷの最大値（以下、ＣＷｍａｘと称す。）を超えない値とされる。
これにより、音声パケット及び画像パケットのカテゴリが優先的に送信権を取得することができ、音声途切れや画像データ遅延などの品質劣化を防ぐことができる。
【０００６】
ＣＷｍｉｎはＱｏＳ  Ｐａｒａｍｅｔｅｒに含まれており、基地局（以下、ＡＰ（Ａｃｃｅｓｓ  Ｐｏｉｎｔ）と称する。）は、ＡＰが配信する報知情報であるビーコンフレームを用いて、４つのカテゴリ分のＱｏＳ  Ｐａｒａｍｅｔｅｒのセットを全端末向けに配信する。ＡＰ配下の全ての端末は、カテゴリごとのＱｏＳ  Ｐａｒａｍｅｔｅｒについて、共通の値を使用する。
【０００７】
例えば特許文献１には、バックオフ期間を算出する際に使用するＣＷｍａｘ及び／又はＣＷｍｉｎを変更する機能を備えた基地局が開示されている。これにより、パケットの衝突率の増加を改善でき、パフォーマンスを改善することができる。
【０００８】
また、特許文献２には、失敗または衝突の平滑化された確率に基づいて、バックオフ期間を算出するためのＣＷｍｉｎを変更するＱｏＳ提供方法が開示されている。
【特許文献１】特開２００６−２４６０３０号公報
【特許文献２】特表２００６−５２０１４０号公報
【発明の開示】
【発明が解決しようとする課題】
【０００９】
しかしながら、特許文献１に記載の基地局は、ＱｏＳ機能について異なるアクセスカテゴリ間においては、上述したカテゴリによる優先制御が有効に機能するものの、ＱｏＳ  Ｐａｒａｍｅｔｅｒが全端末において同一であるため、同一のアクセスカテゴリ間においては優先制御が機能しない。また、初期乱数を小さく設定している端末においては、その端末数が増えた場合には、バックオフによる衝突回避機能特性が劣化してしまうという問題がある。
さらにまた、特許文献２に記載のＱｏＳ提供方法については、端末ごとにＣＷを変更することができるものの、上述した優先度の高い端末間の送信タイミングが端末間で偶然一致した場合には、実際の帯域負荷状況情報と比較して通常より高い衝突・再送が発生してしまうという問題がある。
【課題を解決するための手段】
【００１０】
本発明にかかる無線端末は、帯域の負荷状況情報を取得する負荷状況情報取得部と、無線端末がデータを再送するために要したデータ再送履歴情報を取得する再送履歴情報取得部と、負荷状況情報及びデータ再送履歴情報とを比較し、無線帯域チャネルにおいて衝突・再送が起きやすい状況であるか否かを判定する判定部と、判定部が無線帯域チャネルにおいて衝突・再送が起きやすい状況であると判定した場合に、コンテンション・ウィンドウの最小値（以下、ＣＷｍｉｎと称す）を増加させて更新するＣＷｍｉｎ更新部とを備えるものである。
【００１１】
このような構成により、衝突・再送が起きやすい状況において、バックオフ期間をより長い期間から開始することができ、他の端末と異なったタイミングでデータを送信することができる。
このため、優先度の高い端末間の送信タイミングが端末間で偶然一致した場合であっても、不要な衝突・再送を回避することができる。
【００１２】
また、本発明にかかる無線端末の通信制御方法は、帯域の負荷状況情報を取得するステップと、無線端末がデータを再送するために要したデータ再送履歴情報を取得するステップと、負荷状況情報及びデータ再送履歴情報とを比較し、無線帯域チャネルにおいて衝突・再送が起きやすい状況であるか否かを判定するステップと、無線帯域チャネルにおいて衝突・再送が起きやすい状況であると判定された場合に、コンテンション・ウィンドウの最小値（以下、ＣＷｍｉｎと称す）を増加させて更新するステップとを備えるものである。
【００１３】
このような方法により、衝突・再送が起きやすい状況において、優先度の高い端末間の送信タイミングが端末間で偶然一致した場合であっても、不要な衝突・再送を回避することができる。
【発明の効果】
【００１４】
本発明によれば、優先度の高い端末間の送信タイミングが端末間で偶然一致した場合であっても、不要な衝突・再送を回避することができる無線端末及び無線端末の通信制御方法を提供することができる。
【発明を実施するための最良の形態】
【００１５】
発明の実施の形態１．
以下、本発明を適用した具体的な実施の形態１について、図面を参照しながら詳細に説明する。図１は、本発明の実施形態１に係る無線端末を含む無線ＬＡＮシステムの構成を示す図である。図１に示すように、無線ＬＡＮシステムは、無線ＬＡＮ基地局としてのＡＰ（アクセスポイント）１１に、無線ＬＡＮ端末としての複数のＶｏＩＰ（Ｖｏｉｃｅ  ｏｖｅｒ  Ｉｎｔｅｒｎｅｔ  Ｐｒｏｔｏｃｏｌ）端末１２乃至１４が接続している。
ここで、ＡＰ１１及びＶｏＩＰ端末１２乃至１４は、ＩＥＥＥ８０２．１１ｅに準拠した装置である。また、図１には図示しないが、ＶｏＩＰ端末１２乃至１４以外にも複数のＶｏＩＰ端末が存在することができる。
【００１６】
図２は、ＶｏＩＰ端末１２乃至１４の内部構成を示す図である。
図２に示されるようにＶｏＩＰ端末は、ビーコンフレームから帯域の負荷状況情報を取得する負荷状況情報取得部２１と、データ再送履歴情報としてのデータ再送回数を取得する再送履歴情報取得部２２と、無線帯域チャネルにおいて衝突・再送が起きやすい状況であるか否かを判定する判定部２３と、ＣＷｍｉｎを増加させて更新するＣＷｍｉｎ更新部３４を備える。尚、図２には図示しないが、ＶｏＩＰ端末はＩＥＥＥ８０２．１１ｅに準拠したその他の必要な機能も当然備えているものとする。
【００１７】
次に、図１に示す無線ＬＡＮシステムにおいて、本発明の実施の形態１に係るＶｏＩＰ端末による具体的な動作について説明する。尚、以下に説明する実施の形態１においては、全てのＶｏＩＰ端末１２乃至１４が２０ｍｓ周期によってデータ送信するものとする。
図３は、本発明の実施の形態１に係るＶｏＩＰ端末による処理を示すフローチャートである。
【００１８】
図３に示すように、まず負荷状況情報取得部２１は、ＡＰ１１からのビーコンフレームを受信し、ビーコンフレームに含まれるＱＢＳＳ  Ｌｏａｄ情報に基づいて、帯域の負荷状況情報を取得する（Ｓ３０１）。
【００１９】
ビーコンフレームは、ＡＰ１１が定期的に報知情報を通知するためブロードキャストにより送信するものであり、図４に示すように、ビーコンフレーム４１は、ＩＥＥＥ８０２．１１ｅのパラメタ化されたサービス品質（ＱｏＳ）の基本サービス・セット（ＢＳＳ）としてのＱＢＳＳ（ＱｏＳ  Ｂａｓｉｃ  Ｓｅｒｖｉｃｅ  Ｓｅｔ）Ｌｏａｄ  ｅｌｅｍｅｎｔ４２を含み、さらに、帯域の負荷状況情報を示すＣｈａｎｎｅｌ  Ｕｔｉｌｉｚａｔｉｏｎ４３情報を含む。
これにより、ＶｏＩＰ端末は帯域の負荷状況を把握することができる。
尚、帯域の負荷状況を取得するための手段は、Ｃｈａｎｎｅｌ  Ｕｔｉｌｉｚａｔｉｏｎ４３情報に限定されず、例えば、ＶｏＩＰ端末がプローブリクエストをＡＰ１１に送信し、ＡＰ１１からの応答状況に基づいて帯域の負荷状況を取得するように構成しても良い。
【００２０】
次いで、再送履歴情報取得部２２は、ＶｏＩＰ端末が１つのデータを再送するために要したデータ再送履歴情報としてのデータ再送回数を取得する（Ｓ３０２）。
尚、データ再送履歴情報はデータ再送回数に限定されず、例えばデータ送信に要したデータ送信時間等に基づいて算出しても良い。
【００２１】
次いで、判定部２３は、負荷状況及びデータ再送回数を比較し、無線帯域チャネルにおいて、優先度の高いＶｏＩＰ端末間の送信タイミングが偶然一致することによる衝突・再送が起きやすい状況であるか否かを判定する（Ｓ３０３）。
ここで、負荷状況及びデータ再送回数の比較については、例えば、負荷状況が高いにもかかわらずデータ再送回数が少ない、又は、負荷状況が低いにも関わらずデータ再送回数が多いなどを比較し、このような場合にはチャネルの使用状況に応じたデータ再送回数となっておらず、衝突・再送が起きやすい状況であるものと判定する。
【００２２】
そして、判定部２３が無線帯域チャネルにおいて、優先度の高いＶｏＩＰ端末間の送信タイミングが偶然一致することによる衝突・再送が起きやすい状況であると判定した場合に、ＣＷｍｉｎ更新部２４は、ＶｏＩＰ端末内に設定されるカテゴリＡＣ＿ＶＯのＣＷｍｉｎを後述するように増加させて更新する（Ｓ３０４）。
これにより、ＶｏＩＰ端末は、バックオフ期間をより長い期間から開始することができる。このため、他の端末と異なったタイミングでデータを送信することができ、衝突を回避することができる。
【００２３】
続いて、ＣＷｍｉｎの初期設定値及びその更新方法について説明する。
まず、カテゴリＡＣ＿ＶＯに対するコンテンション・ウィンドウの最小値であるＣＷｍｉｎについて説明する。
カテゴリＡＣ＿ＢＥのＣＷｍｉｎをａＣＷｍｉｎとした場合に、カテゴリＡＣ＿ＶＯのＣＷｍｉｎの初期設定値は以下の式１に基づいて算出する。
ＡＣ＿ＶＯ  ＣＷｍｉｎ=（(ａＣＷｍｉｎ＋１)／４）−１・・・・（式１）
そして、上記式１により算出したカテゴリＡＣ＿ＶＯのＣＷｍｉｎの初期設定値を増加させて更新させる場合には、以下の式２に基づいて増加させるものとし、定数nを変化させることにより更新を行う。
ＡＣ＿ＶＯ  ＣＷｍｉｎ=（(ａＣＷｍｉｎ＋１)／４）＋ｎ・・・・（式２）
【００２４】
また、カテゴリＡＣ＿ＶＯに対するコンテンション・ウィンドウの最大値であるＣＷｍａｘは、以下の式３に基づいて算出する。
ＡＣ＿ＶＯ  ＣＷｍａｘ=（(ａＣＷｍｉｎ＋１)／２）−１・・・・（式３）
一方、カテゴリＡＣ＿ＶＩに対するＣＷｍｉｎは、以下の式４に基づいて算出する。
ＡＣ＿ＶＩ  ＣＷｍｉｎ=（(ａＣＷｍｉｎ＋１)／２）−１・・・・（式４）
【００２５】
ここで、上記式２により算出されるカテゴリＡＣ＿ＶＯ  ＣＷｍｉｎが、上記式４により算出されるカテゴリＡＣ＿ＶＩ  ＣＷｍｉｎより大きくなる場合には、例えば、図１に示した無線ＬＡＮシステムにカテゴリＡＣ＿ＶＩによってＶＩデータを送信する端末が存在する場合に、ＶｏＩＰ端末の優先度が落ちてしまうことがある。
このため、カテゴリＡＣ＿ＶＯのＣＷｍｉｎは、ＣＷｍｉｎ＜ＣＷｍａｘを満足し、かつ、より優先度の低いカテゴリＡＣ＿ＶＩのＡＣ＿ＶＩ  ＣＷｍｉｎに対して、ＡＣ＿ＶＯ  ＣＷｍｉｎ＜ＡＣ＿ＶＩ  ＣＷｍｉｎを満足する必要がある。即ち、カテゴリＡＣ＿ＶＯのＣＷｍｉｎは、上記式２、式３、及び式４に基づいて、以下の式５を満足する必要がある。
ＡＣ＿ＶＯ  ＣＷｍｉｎ：（(ａＣＷｍｉｎ＋１)／４）−ｎ＜（(ａＣＷｍｉｎ＋１)／２）−１・・・・（式５）
従って、式１、式２及び式５より、定数ｎは以下の式６を満足するものである。
∴  −１＜ｎ＜（（ａＣＷｍｉｎ＋１）／４）−１・・・・（式６）
【００２６】
尚、上述の例においては、ＶｏＩＰ端末内に設定されるカテゴリＡＣ＿ＶＯのＣＷｍｉｎを更新する方法について説明したが、本発明はこれに限定されない。例えば、カテゴリＡＣ＿ＶＩのＣＷｍｉｎについても、初期設定値から開始して、カテゴリＡＣ＿ＶＩのＣＷｍａｘ及びカテゴリＡＣ＿ＢＫのＣＷｍｉｎを超えないように増加させる構成とすればよい。
【００２７】
発明の実施の形態２．
次に本発明の実施形態２に係る無線端末について図を用いて説明する。尚、この発明の実施の形態２に係る無線端末を含む無線システムの全体構成は図１に示す構成と同様であり、説明を省略する。
【００２８】
図５は、本発明の実施形態２に係る無線ＬＡＮ端末としてのＶｏＩＰ端末１２乃至１４の内部構成を示す図である。
図５に示されるようにＶｏＩＰ端末は、ビーコンフレームから帯域の負荷状況情報を取得する負荷状況情報取得部５１と、データ再送状況の変化としてのデータ再送回数が増加する傾向を検出する再送状況変化検出部５２と、無線帯域チャネルにおいて衝突・再送が起きやすい状況であるか否かを判定する判定部５３と、ＣＷｍｉｎを増加させて更新するＣＷｍｉｎ更新部５４を備える。尚、図５には図示しないが、ＶｏＩＰ端末はＩＥＥＥ８０２．１１ｅに準拠したその他の必要な機能も当然備えているものとする。
【００２９】
図６は、本発明の実施の形態２に係るＶｏＩＰ端末による処理を示すフローチャートである。尚、以下に説明する実施の形態２においては、２０ｍｓ周期でデータ送信するＶｏＩＰ端末、及び４０ｍｓ周期でデータ送信するＶｏＩＰ端末が混在しているものとする。
【００３０】
図６に示すように、まず負荷状況情報取得部２１は、ＡＰ１１からビーコンフレームを受信し、ビーコンフレームに含まれるＱＢＳＳ  Ｌｏａｄ情報に基づいて、帯域の負荷状況情報を取得する（Ｓ６０１）。
【００３１】
次いで、再送状況変化検出部５２は、格納されたデータ再送履歴情報に含まれる少なくとも複数の履歴情報に基づいて、データ再送状況の変化としてのデータ再送回数が増加する傾向を検出する（Ｓ６０２）。ここで、再送履歴情報取得部２２により取得されたデータ再送履歴情報としてのデータ再送回数が一定期間にわたって図示しないメモリに格納されている。
尚、データ再送履歴情報はデータ再送回数に限定されず、例えばデータ送信に要したデータ送信時間等に基づいて算出しても良い。
これにより、一定周期にわたってデータ再送回数が増減する現象を検出することができる。
【００３２】
次いで、判定部５３は、Ｓ６０１において検出された負荷状況及びデータ再送回数が増加する周期におけるデータ再送回数を比較することにより、優先度の高い端末間において周期的に送信タイミングが偶然一致することによる衝突・再送が起きやすい状況であるか否かを判定する（Ｓ６０３）。
ここで、負荷状況情報及びデータ再送回数の比較については、例えば、負荷状況が高いにもかかわらずデータ再送回数が少ない、又は、負荷状況が低いにも関わらずデータ再送回数が多いなどを比較し、このような場合にはチャネルの使用状況に応じたデータ再送回数となっておらず、衝突・再送が起きやすい状況であるものと判定する。
【００３３】
そして、判定部５３が優先度の高い端末間において周期的に送信タイミングが偶然一致することによる衝突・再送が起きやすい状況であると判定した場合に、ＣＷｍｉｎ更新部５４は、データ再送回数が増加する周期に応じて、ＶｏＩＰ端末内に設定されるカテゴリＡＣ＿ＶＯのＣＷｍｉｎを増加させて更新する（Ｓ６０４）。
これにより、ＶｏＩＰ端末は、データ再送回数が増加する周期にあわせて、バックオフ期間をより長い期間から開始することができる。このため、他の端末と異なったタイミングでデータを送信することができ、衝突を回避することができる。
【００３４】
発明の実施の形態３．
次に本発明の実施形態３に係る無線端末について図を用いて説明する。尚、この発明の実施の形態３に係る無線端末を含む無線システムの全体構成は図１に示す構成と同様であり、説明を省略する。
【００３５】
図７は、本発明の実施形態３に係る無線ＬＡＮ端末としてのＶｏＩＰ端末１２乃至１４の内部構成を示す図である。
図７に示されるようにＶｏＩＰ端末は、ビーコンフレームからＴＩＭ情報を抽出するＴＩＭ情報抽出部７１と、無線帯域チャネルにおいて衝突・再送が起きやすい状況であるか否かを判定する判定部７２と、ＣＷｍｉｎを増加させて更新するＣＷｍｉｎ更新部７３を備える。尚、図７には図示しないが、ＶｏＩＰ端末はＩＥＥＥ８０２．１１ｅに準拠したその他の必要な機能も当然備えているものとする。
【００３６】
図８は、本発明の実施の形態３に係るＶｏＩＰ端末による処理を示すフローチャートである。尚、以下に説明する実施の形態３においては、ＶｏＩＰ端末１２乃至１４はビーコンフレーム直後の衝突が予想されるものとする。
【００３７】
図８に示すように、まずＴＩＭ情報抽出部７１は、ビーコンフレームから、ＡＰ１１が無線端末宛データを保有しているか否かを示すＴＩＭ（Ｔｒａｆｆｉｃ  Ｉｎｄｉｃａｔｉｏｎ  Ｍａｐ）情報を抽出し、自端末宛のパケットがバッファリングされているか否かを確認する（Ｓ８０１）。
さらに、ＴＩＭ情報抽出部７１は、自端末以外の他端末宛についてのＴＩＭが複数立っているか否かを確認する（Ｓ８０２）。
【００３８】
ここで、図９に示すように、ビーコンフレーム９１は、パワー・セーブ・モードにおける無線端末への送信データの有無を示す情報からなるＴＩＭ情報９２を含む。
【００３９】
次いで、判定部７２は、ＴＩＭ情報に基づいて、ＡＰ１１が自端末宛データを保有しており、かつ、複数の他端末宛データを保有していることを示している場合に、無線帯域チャネルにおいて衝突・再送が起きやすい状況であるか否かを判定する（Ｓ８０３）。
【００４０】
そして、判定部７２が無線帯域チャネルにおいて衝突・再送が起きやすい状況であると判定した場合に、ＣＷｍｉｎ更新部７３は、ＰＳ−Ｐｏｌｌ／ＱｏＳ  Ｎｕｌｌによる衝突が予想されるため、ＶｏＩＰ端末内に設定されるカテゴリＡＣ＿ＶＯのＣＷｍｉｎを一時的に増加させて更新する（Ｓ８０４）。
尚、一時的に増加させたＣＷｍｉｎは、例えば自端末宛のＴＩＭが立っていない場合には、増加以前の値に戻すように構成してもよい。
このように、一時的にＣＷｍｉｎを大きくさせることにより、ＰＳ−Ｐｏｌｌ／ＱｏＳ  Ｎｕｌｌによる衝突を回避することができる。
【００４１】
本発明は上述した実施の形態のみに限定されるものではなく、本発明の要旨を逸脱しない範囲において種々の変更が可能であることは勿論である。
【図面の簡単な説明】
【００４２】
【図１】本発明の実施の形態にかかる無線ＬＡＮシステムの構成図である。
【図２】本発明の実施の形態にかかる無線端末の構成図である。
【図３】本発明の実施の形態にかかる無線端末の処理を示すフローチャートである。
【図４】本発明の実施の形態にかかるビーコンフレームを示す図である。
【図５】本発明の実施の形態にかかる無線端末の構成図である。
【図６】本発明の実施の形態にかかる無線端末の処理を示すフローチャートである。
【図７】本発明の実施の形態にかかる無線端末の構成図である。
【図８】本発明の実施の形態にかかる無線端末の処理を示すフローチャートである。
【図９】本発明の実施の形態にかかるビーコンフレームを示す図である。
【符号の説明】
【００４３】
１１  ＡＰ
１２〜１４  ＶｏＩＰ端末
２１  負荷状況情報取得部
２２  再送履歴情報取得部
２３  判定部
２４  ＣＷｍｉｎ更新部
４１  ビーコンフレーム
４２  ＱＢＳＳ  Ｌｏａｄ
４３  Ｃｈａｎｎｅｌ  Ｕｔｉｌｉｚａｔｉｏｎ
５１  負荷状況情報取得部
５２  再送状況変化検出部
５３  判定部
５４  ＣＷｍｉｎ更新部
７１  ＴＩＭ情報抽出部
７２  判定部
７３  ＣＷｍｉｎ更新部
９１  ビーコンフレーム
９２  ＴＩＭ情報
【図１】
2008252565.tif 000003
【図２】
2008252565.tif 000004
【図３】
2008252565.tif 000005
【図４】
2008252565.tif 000006
【図５】
2008252565.tif 000007
【図６】
2008252565.tif 000008
【図７】
2008252565.tif 000009
【図８】
2008252565.tif 000010
【図９】
2008252565.tif 000011